(57)【要約】【課題】  複数の宛先に対する画像読取条件を同時かつ個別に設定することが可能な画像形成装置を提供する。【解決手段】  原稿上の画像を読取ることにより画像データを生成する画像読取部と、前記画像データを複数の外部装置に送信する画像データ送信部と、前記画像読取部による画像読取のための画像読取条件と、複数の前記外部装置を宛先とする宛先情報とを関連付けて記憶する記憶部とを備え、前記画像読取部は、前記宛先情報のそれぞれに関連付けられた前記画像読取条件に基づいて前記原稿上の画像を読取る画像形成装置。【選択図】  図１
2017085394.tif 000002
【特許請求の範囲】
【請求項１】
原稿上の画像を読取ることにより画像データを生成する画像読取部と、
前記画像データを複数の外部装置に送信する画像データ送信部と、
前記画像読取部による画像読取のための画像読取条件と、複数の前記外部装置を宛先とする宛先情報とを関連付けて記憶する記憶部とを備え、
前記画像読取部は、前記宛先情報のそれぞれに関連付けられた前記画像読取条件に基づいて前記原稿上の画像を読取ること
を特徴とする画像形成装置。
【請求項２】
前記画像読取部は、前記原稿を原稿読取位置に自動搬送する原稿自動搬送装置を備え、
前記画像読取部は、前記宛先情報に対応する前記画像読取条件毎に前記原稿を読取開始位置に移動させた後画像読取を開始すること
を特徴とする請求項１に記載の画像形成装置。
【請求項３】
前記画像読取部は、前記原稿に対して副走査方向に移動しながら前記原稿上の画像を読取る光学センサ部を備え、
前記画像読取部は、前記宛先情報に対応する前記画像読取条件毎に前記光学センサ部を読取開始位置に移動させた後画像読取を開始すること
を特徴とする請求項１に記載の画像形成装置。
【請求項４】
前記画像読取部は、前記原稿を順方向に自動搬送する往路での画像読取に加え、前記原稿を前記読取開始位置に自動搬送する復路での画像読取を行うこと
を特徴とする請求項２に記載の画像形成装置。
【請求項５】
前記画像読取部は、前記光学センサ部が前記原稿の先端から後端へ順方向に移動する往路での画像読取に加え、前記光学センサを前記読取開始位置に移動させるための後端から先端への逆方向に移動する復路での画像読取を行うこと
を特徴とする請求項３に記載の画像形成装置。
【請求項６】
前記画像読取条件及び前記宛先情報の入力を受け付ける入力部を備えること
を特徴とする請求項１乃至請求項５の何れか１項に記載の画像形成装置。
【請求項７】
前記画像読取条件及び前記宛先情報の入力の受け付けを通信手段を介して接続されたホストコンピュータとのデータを通信により行うデータ通信部を備えること
を特徴とする請求項１乃至請求項６の何れか１項に記載の画像形成装置。
【請求項８】
前記画像データ送信部は、Ｔｏ宛先、ＣＣ宛先、ＢＣＣ宛先の区分けを行ったメールアドレス宛に前記画像データをそれぞれ送信可能であり、
前記画像読取条件は、前記メールアドレスに関連付けられたＴｏ宛先、ＣＣ宛先、ＢＣＣ宛先に基づき設定変更可能であること
を特徴とする請求項１乃至請求項７の何れか１項に記載の画像形成装置。
【発明の詳細な説明】
【技術分野】
【０００１】
本発明は、原稿の画像読取を行う機能を有し、当該画像読取によって得られる画像データを外部装置に対して送信する画像形成装置に関するものである。
【背景技術】
【０００２】
従来技術として、例えば、特許文献１には、原稿上の画像を読取ることにより、画像データを生成し、当該画像データを電子メールで外部装置に送信する技術が開示されている。また、特許文献２には、同一の原稿を複数のサイズにて複数枚複写する場合において、指定された拡大・縮小・等倍等の編集方法ごとに最適な条件で画像読取を行う技術が開示されている。
【先行技術文献】
【特許文献】
【０００３】
【特許文献１】特開２００６−２６０３６９号公報
【特許文献２】特開２００４−２２８９５０号公報
【発明の概要】
【発明が解決しようとする課題】
【０００４】
しかしながら、従来技術では、複数の宛先に対し、同一の原稿を異なる画像読取条件で読取り、生成した画像データを当該複数の宛先に送信する場合、画像読取条件の設定とその設定に基づく原稿の画像読取を、複数の宛先に対して複数回に分けて個別に行う必要があるといった問題があった。
【０００５】
本発明はこのような実状に鑑みてなされたものであり、本発明の課題は、複数の宛先に対する画像読取条件を同時かつ個別に設定することが可能な画像形成装置を提供することである。
【課題を解決するための手段】
【０００６】
上記課題を解決するために、本発明に係る画像形成装置は、原稿上の画像を読取ることにより画像データを生成する画像読取部と、前記画像データを複数の外部装置に送信する画像データ送信部と、前記画像読取部による画像読取のための画像読取条件と、複数の前記外部装置を宛先とする宛先情報とを関連付けて記憶する記憶部とを備え、前記画像読取部は、前記宛先情報のそれぞれに関連付けられた前記画像読取条件に基づいて前記原稿上の画像を読取ることを特徴としている。
【発明の効果】
【０００７】
本発明によれば、複数の宛先に対する画像読取条件を同時かつ個別に設定することが可能な画像形成装置を提供することができる。
【図面の簡単な説明】
【０００８】
【図１】第１の実施形態に係る複合機の機能ブロック図である。
【図２】ＡＤＦ部の構成を説明する概略断面図である。
【図３】ＡＤＦ部による片面読取動作を説明する動作図である。
【図４】ＡＤＦ部による両面読取動作を説明する動作図である。
【図５】ＦＢ部による片面読取動作を説明する動作図である。
【図６】第１の実施形態に係る複合機の動作を説明するフローチャートである。
【図７】操作パネルの構成例を説明する図である。
【図８】原稿を原稿トレイの初期位置に移動させる動作を説明する動作図である。
【図９】ＦＢ部における光学センサの初期位置への移動を説明する動作図である。
【図１０】第２の実施形態に係る複合機の機能ブロック図である。
【図１１】第２の実施形態に係る複合機の動作を説明するフローチャートである。
【図１２】ＡＤＦ部による復路方向での画像読取動作を説明する動作図である。
【図１３】ＦＢ部による復路方向での画像読取動作を説明する動作図である。
【発明を実施するための形態】
【０００９】
以下、本発明の実施形態について図面を参照して説明する。なお、本発明は以下の記述に限定されるものではなく、本発明の要旨を逸脱しない範囲において適宜変更可能である。
【００１０】
［第１の実施形態］
図１は、第１の実施形態に係る画像形成装置としての複合機１０１の機能ブロック図である。複合機１０１は、原稿の画像読取機能、所謂、スキャン機能を備えた画像読取部１０２と、画像読取部１０２により生成した画像データを電子メールにて送信可能な送信画像データに処理する画像処理部１０３と、画像処理部１０３により生成された送信画像データを電子メールに添付して外部装置１１３に送信するメール送信部１０４と、例えば、ＣＰＵ（Central Processing Unit）等を備え、複合機１０１を統括的に制御する主制御部１０９と、図示せぬ通信手段を介して接続されたホストコンピュータ１１５とデータ通信を行うデータ通信部１１０と、例えば、ＲＡＭ（Random Access Memory）、ＨＤＤ（Hard Disk Drive）等の記憶装置を備え、入力部１１２を介して受け付けた画像読取条件や宛先情報としての電子メールの宛先を記憶する記憶部１１１と、例えば、タッチパネル等の入力装置を備え、解像度、カラー／モノクロ読取といった画像読取条件や電子メールの宛先の入力を受け付ける入力部１１２と、ＬＣＤ（Liquid Crystal Display）等の情報表示装置を備え、入力部１１２を介して受け付けた入力内容や装置状態を表示する表示部１１３とを備える。
【００１１】
なお、記憶部１１１に記憶された画像読取条件と電子メールの宛先とは互いに関連付けられて記憶されている。そして、画像読取部１０２による原稿の画像読取は、記憶部１１１に記憶された画像読取条件に基づいて行われ、メール送信部１０４による外部装置１１４への電子メールの送信は、記憶部１１１に記憶された電子メールの宛先に対して行われる。
【００１２】
ここで、本実施形態に係る画像読取部１０２の構成について詳細に説明する。図１に示すように、画像読取部１０２は、後述する原稿トレイ２００にセットされた１枚又は複数枚の原稿Ｐを自動搬送し、当該原稿Ｐの片面又は両面の画像読取を行う原稿自動搬送装置であるＡＤＦ（Auto Document Feeder）部１０５と、原稿Ｐを後述する原稿台１０８に載置した状態で画像読取を行うＦＢ（Flat Bed）部１０７とを備える。
【００１３】
画像読取手段としての光学センサ１０６は、その内部に図示せぬ複数の光源と、１ラインに並置された同一の分光感度特性を有する受光素子を備える。光源の数は３つ以上であればよく、光源の色は異なる分光エネルギー特性であれば何色でもよい。例えば、光源として、赤、緑、青の３原色を用いた場合、このときのカラー値は、Ｒｅｄ、Ｇｒｅｅｎ、Ｂｌｕｅで表されるＲＧＢ値となる。それぞれの光源から照射された光は原稿Ｐ上で反射される。原稿Ｐ上で反射された光は、レンズアレイ等の図示せぬ集光手段を介して、同じく図示せぬＣＣＤ（Charge Coupled Device）イメージセンサ等の受光素子たる光電変換素子で受光され、Ａ／Ｄ変換等の信号処理を経てデジタル表現された画像データが得られる。
【００１４】
次に、ＡＤＦ部１０５の主だった構成について図２の概略断面図を用いて説明する。ＡＤＦ部１０５には、原稿Ｐを複数枚セット可能な原稿トレイ２００が設けられている。原稿トレイ２００上部には、原稿Ｐと接触可能に構成され、当該原稿ＰをＡＤＦ１０５内部に繰り出すためのピックアップローラ２０１が設けられている。ピックアップローラ２０１により繰り出された原稿Ｐは、分離ローラ２０２により１枚ずつ分離搬送され、ＡＤＦ１０５内部に形成された搬送路に導かれる。
【００１５】
本実施形態においては、搬送路として搬送路Ｌ１〜Ｌ７がＡＤＦ部１０５内部に形成されており、片面読取、両面読取に応じて搬送経路が切り替わるように構成されている。搬送路上には、第１反転ローラ２０３、レジストローラ２０４、搬送ローラ２０５、及び第２反転ローラ２０６と、原稿位置を検出する複数のセンサ２２０〜２２４とが設けられている。第１反転ローラ２０３、レジストローラ２０４、搬送ローラ２０５、及び第２反転ローラ２０６は図示せぬモータによって正逆方向に回転し、原稿Ｐを搬送する。センサ２２０〜２２４としては、例えば、原稿Ｐと接触することにより回動可能に構成されたレバー部材たるアクチュエータと透過型又は反射型のフォトセンサとを組み合わせたものを用いることができる。センサ２２０〜２４０は、アクチュエータが原稿Ｐとの接触に応じてフォトセンサの受光部を開放、遮断することで得られる光のオンオフ信号を原稿Ｐの検出信号として主制御部１０９に出力する。主制御部１０９は、センサ２２０〜２２４からの検出信号に基づき、第１反転ローラ２０３、レジストローラ２０４、搬送ローラ２０５、及び第２反転ローラ２０６、以下で説明する第１セパレータ２１０及び第２セパレータ２１２の回動動作を制御する。
【００１６】
搬送路Ｌ１及び搬送路Ｌ６との間に設けられた第１セパレータ２１０は、回動支点２１１を中心として図２中矢ｘ方向に回動可能となるように構成されている。第１セパレータ２１０は、原稿Ｐの片面読取、両面読取に応じて回動し、片面読取の場合は摺動面２１０ａを介して、両面読取の場合は摺動面２１０ｂを介して原稿Ｐを搬送することで、原稿Ｐの搬送路を搬送路Ｌ１又は搬送路Ｌ６の何れかに切り替える。
【００１７】
同様に、搬送路Ｌ４及び搬送路Ｌ５との間に設けられた第２セパレータ２１２は、回動支点２１３を中心として図２中矢ｙ方向に回動可能となるように構成されている。第２セパレータ２１２は、原稿Ｐの排紙、再取り込みに応じて回動し、排紙の場合は摺動面２１２ａを介して、再取り込みの場合は摺動面２１２ｂを介して原稿Ｐを搬送することで、原稿Ｐの搬送路を搬送路Ｌ４又は搬送路Ｌ５の何れかに切り替える。
【００１８】
なお、搬送路Ｌ２及び搬送路Ｌ３との間には、原稿押さえ部材２２５が設けられており、当該原稿押さえ部材２２５とＦＢ部１０７の原稿台１０８との間（読取位置Ｓ）を原稿Ｐが通過する際に、直下に位置する光学センサ１０６が原稿Ｐ上の画像を読取る。なお、光学センサ１０６は、図２中矢印ｚ方向、即ち、受光素子の並置方向である主走査方向に対して垂直方向である副走査方向に往復移動が可能となるように、例えば、図示せぬキャリッジシャフト等の搬送手段が接続されている。画像読取が完了した原稿Ｐは、搬送ローラ２０５、第２反転ローラ２０６等の回転により排紙トレイ２０７に排紙される。
【００１９】
次に、上記構成を備えたＡＤＦ部１０５による画像読取動作について説明する。図３は、ＡＤＦ部１０５による片面読取の動作を説明する動作図であり、図４は、ＡＤＦ部１０５による両面読取の動作を説明する動作図である。
【００２０】
まず、片面読取の動作について図３を用いて説明する。なお、図３（ｄ）は、原稿Ｐの搬送方向及び搬送面（表面、裏面）を明確にするため、原稿Ｐを簡略化して表現した図である。ここでの説明においては、図中左端側の黒塗り▲を配した側が原稿Ｐの先端側であるとともに搬送面が表面であるものとして説明する。
【００２１】
原稿トレイ２００にセットされた原稿Ｐはピックアップローラ２０１により繰り出され、分離ローラ２０２により１枚ずつ分離搬送される。原稿Ｐは、第１セパレータ２１０の摺動面２１０ａを介して搬送路Ｌ１に搬送される（図３（ａ）給紙）。
【００２２】
搬送路Ｌ１から搬送路Ｌ２に達した原稿Ｐはレジストローラ２０４を通過後、搬送路Ｌ３上における読取位置Ｓにて、原稿先端側から表面の画像が読取られる（図３（ｂ）表面読取）。
【００２３】
表面の画像読取が完了した原稿Ｐは、第２セパレータ２１２の摺動面２１２ａを介し搬送路Ｌ４を通過して排紙トレイ２０７に排紙され、次の原稿Ｐが搬送路Ｌ１に搬送される（図３（ｃ）排紙（次原稿給紙））。
【００２４】
次に、両面読取の動作について図４を用いて説明する。なお、図４（ｇ）は、原稿Ｐの搬送方向及び搬送面を明確にするため、原稿Ｐを模式的に表現した図である。原稿トレイ２００にセットされた原稿Ｐはピックアップローラ２０１により繰り出され、分離ローラ２０２により１枚ずつ分離搬送される。原稿Ｐは、第１セパレータ２１０の摺動面２１０ｂを介して搬送路Ｌ６に搬送される（図４（ａ）給紙）。
【００２５】
搬送路Ｌ６に搬送された原稿Ｐは、一旦搬送路Ｌ６から搬送路Ｌ７に搬送され、原稿Ｐの表裏が反転する。次いで、第１反転ローラ２０３が搬送路Ｌ７への搬送時とは逆方向に回転することにより、原稿Ｐは後端側から搬送路Ｌ２に搬送される（図４（ｂ）前回転）。
【００２６】
搬送路Ｌ７から搬送路Ｌ２に達した原稿Ｐはレジストローラ２０４を通過後、搬送路Ｌ３上における読取位置Ｓにて、原稿後端側から裏面の画像が読取られる（図４（ｃ）、図４（ｈ）裏面読取）。
【００２７】
裏面の画像読取が完了した原稿Ｐは、第２セパレータ２１２の摺動面２１２ｂを介し搬送路Ｌ５に至る。このとき、原稿Ｐは再度表面が上側となるように反転する。次いで、第２反転ローラ２０６が搬送路Ｌ５への搬送時とは逆方向に回転することにより、原稿Ｐは搬送路Ｌ１に搬送される（図４（ｄ）後反転）。
【００２８】
第１セパレータ２１０の摺動面２１０ａを介し搬送路Ｌ１から搬送路Ｌ２に達した原稿Ｐはレジストローラ２０４を通過後、搬送路Ｌ３上における読取位置Ｓにて、原稿先端側から表面の画像が読取られる（図４（ｅ）、図４（ｉ）表面読取）。
【００２９】
表面の画像読取が完了した原稿Ｐは、第２セパレータ２１２の摺動面２１２ａを介し搬送路Ｌ４を通過して排紙トレイ２０７に排紙され、次の原稿Ｐが搬送路Ｌ１に搬送される（図４（ｆ）排紙（次原稿給紙））。
【００３０】
次に、ＦＢ部１０７による画像読取動作について図２及び図５を用いて説明する。図５は、ＦＢ部１０７による原稿Ｐの片面読取の動作を説明する図である。
【００３１】
図２に示すように、ＡＤＦ部１０５はＦＢ部１０７上部に設けられており、当該ＡＤＦ部１０５は図示せぬヒンジ部を介しＦＢ部１０７に対して開閉自在となるように構成されている。ＦＢ部１０７を用いて原稿Ｐの画像読取を行う場合、ユーザはＡＤＦ部１０５を開き、露出したＦＢ部１０７の原稿台１０８上に原稿Ｐをセットし、ＡＤＦ部１０５を閉じた状態で画像読取を行う。なお、原稿台１０８は、光学センサ１０６による読取面積と略同面積を有する透明のガラス板部材で構成されている。
【００３２】
前述したように、光学センサ１０６は、図２中矢印ｚ方向に往復移動が可能となるように構成されている。そして、図５（ｂ）に示す原稿Ｐの先端側を図５（ａ）に示す原稿台１０８の左端側に合わせて載置し、画像読取を開始すると、光学センサ１０６は、図中矢印（往路）で示す方向に移動しながら原稿Ｐの画像を先端側から後端側にかけて読取る。
【００３３】
次に、上記構成を備えた複合機１０１の動作について図１、図６、及び図７を用いて説明する。図６は、複合機１０１における動作を説明するフローチャートであり、図７は、本実施形態に係る入力部１１２及び表示部１１３からなる操作パネル３００の構成例を説明する図である。
【００３４】
まず、図６のステップＳ１０において、ユーザは操作パネル３００又はデータ通信部１１０を介して接続されたホストコンピュータ１１５を用いて送信画像データの宛先としての電子メールアドレスを入力する。電子メールアドレスは、同一のグループ又は個別のグループに分けて入力することができる。記憶部１１１は、入力された電子メールアドレスを記憶する。
【００３５】
次に、ユーザは、ステップＳ１０にて入力した送信画像データの宛先のグループそれぞれに対して画像読取条件を入力する。記憶部１１１は、入力された画像読取条件を宛先のグループに関連付けて記憶する（ステップＳ１１）。
【００３６】
ここで、本実施形態に係る操作パネル３００について説明する。図７に示すように、操作パネル３００は、送信画像データの宛先の入力をグループ毎に受け付けるグループタグ３０１〜３０５と、入力内容の確定を受け付けるＯＫボタン３０６と、入力内容の確定を取り消すＣａｎｃｅｌボタン３０７とを備える。図７に示す例は、送信画像データの宛先としてグループ２が選択され、グループタグ３０２の設定画面３０２１が表示された様子を示している。グループタグ３０２の設定画面３０２１は、送信画像データの宛先の電子メールアドレスの入力を受け付ける宛先入力画面３０２２と、画像読取条件の入力を受け付けるカラー／モノクロ選択プルダウンメニュー３０２３と、解像度選択プルダウンメニュー３０２４と、両面／片面読取選択プルダウンメニュー３０２５とを備える。
【００３７】
図７に示す例においては、同一の送信画像データの宛先として、宛先入力画面３０２２に、ａａａ１２３＠ａｂｃ．ｈｏｍｅ．ｎｅ．ｊｐと、ｂｂｂ４５６＠ｄｅｆ．ｈｏｍｅ．ｎｅ．ｊｐとの２つの電子メールアドレスがグループとして入力され、画像読取条件として、カラー読取、解像度：３００ｄｐｉ、両面読取が選択された様子を示している。全ての項目の入力が完了し、ユーザによりＯＫボタン３０６が押下されることで、記憶部１１１は、入力された画像読取条件を宛先のグループに関連付けて記憶する。
【００３８】
再び、図６に戻り、ユーザは、１枚又は複数枚の原稿ＰをＡＤＦ部１０５の原稿トレイ２００にセットする（ステップＳ１２）。原稿Ｐのセットにより画像読取の準備が完了し、処理はステップＳ１３に進む。
【００３９】
画像読取の準備が完了すると、主制御部１０９は、記憶部１１１から電子メールの宛先のグループに関連付けられた１番目の画像読取条件を読み出し、１枚目の原稿読取条件とした上で、原稿Ｐの搬送を開始させる（ステップＳ１３）。
【００４０】
ステップＳ１４において、主制御部１０９は、原稿ＰのＮ枚目に対しＸ番目の画像読取条件に基づいた画像読取を行うよう画像読取部１０２に指示を与える。指示を受けた画像読取部１０２は、光学センサ１０６を用いた画像読取を行う。
【００４１】
そして、主制御部１０９は、１番目からＸ番目の画像読取条件により全ての画像読取条件による画像読取が完了したか否かを判断する。ここで、全ての画像読取条件による画像読取が完了した場合（ステップＳ１５  Ｙｅｓ）、主制御部１０９は、原稿ＰのＮ枚目を排出トレイ２０７に排出させ（ステップＳ１８）、処理をステップＳ１９に移行する。
【００４２】
一方、全ての画像読取条件による画像読取が完了していない場合（ステップＳ１５  Ｎｏ）、主制御部１０９は、原稿ＰのＮ枚目を原稿トレイ２００の読取開始位置である初期位置に移動させる（ステップＳ１６）。そして、主制御部１０９は、記憶部１１１から、Ｘ番目の画像読取条件の次の条件であるＸ＋１番目の画像読取条件を読み出し、当該画像読取条件をＸ番目の画像読取条件として定義し、ステップＳ１４からの処理を繰り返す（ステップＳ１７）。
【００４３】
ここで、原稿ＰのＮ枚目を原稿トレイ２００の初期位置に移動させる動作について図８を用いて説明する。
【００４４】
図８（ａ）に示すように、原稿Ｐは、第２反転ローラ２０６が搬送路Ｌ４への搬送時とは逆方向に回転することにより、第２セパレータ２１２の摺動面２１２ａを介し搬送路Ｌ４から搬送路Ｌ３に搬送される。このとき、搬送路Ｌ３上における読取位置Ｓでの画像読取は行われない（図８（ｂ））。
【００４５】
そして、第１反転ローラ２０３が回転を継続することにより、原稿Ｐは搬送路Ｌ２から第１セパレータ２１０の摺動面２１０ａを介し搬送路Ｌ１に至る。このとき、原稿Ｐは表面が上側となるように反転する。第２セパレータ２１２の摺動面２１２ｂを介して搬送路Ｌ５に到達した原稿Ｐは、第２反転ローラ２０６が搬送路Ｌ５への搬送時とは逆方向に回転することにより（図８（ｃ））、第２セパレータ２１２の摺動面２１２ｂを介して搬送路Ｌ３、搬送路Ｌ２を通過し、搬送路Ｌ７に至る（図８（ｄ））。なお、このときも搬送路Ｌ３上における読取位置Ｓでの画像読取は行われない。
【００４６】
搬送路Ｌ７に至った原稿Ｐは、第１反転ローラ２０３が搬送路Ｌへの搬送時とは逆方向に回転し（図８（ｅ））、搬送路Ｌ６、第１セパレータ２１０の摺動面２１０ｂを介して原稿トレイ２００の初期位置に搬送される（図８（ｆ））。
【００４７】
再び、図６に戻り、主制御部１０９は、原稿Ｐの１枚目からＮ枚目の画像読取により、全ての原稿Ｐに対する画像読取が完了したか否かを判断する。ここで、全ての原稿Ｐの画像読取が完了していない場合（ステップＳ１９  Ｎｏ）、主制御部１０９は、原稿トレイ２００から原稿ＰのＮ＋１枚目の搬送を開始させ（ステップＳ２０）、ステップＳ１４からの処理を繰り返す。
【００４８】
一方、全ての原稿Ｐの画像読取が完了した場合（ステップＳ１９  Ｙｅｓ）、主制御部１０９は、画像処理部１０３に対して、電子メールの宛先のグループそれぞれに対して個別に関連付けられた画像読取条件ごとに全ページの画像データをまとめ、メールでの送信が可能な送信画像データに処理するよう指示を与える。指示を受けた画像処理部１０３は、送信画像データを生成し（ステップＳ２１）、生成した送信画像データを記憶部１１１に記憶させる（ステップＳ２２）。
【００４９】
ステップＳ２３において、主制御部１０９は、電子メールの宛先毎に関連付けられた送信画像データを記憶部１１１から読み出し、電子メールに添付して各宛先に送信するようメール送信部１０４に指示を与える。指示を受けたメール送信部１０４は、送信画像データを添付した電子メールを各宛先に送信する。
【００５０】
なお、上記説明においては、原稿Ｐの画像読取手段としてＡＤＦ部１０５を用いた例について説明したが、画像読取手段としてＦＢ部１０７を用いても同様な効果を得ることができる。ＦＢ部１０７を画像読取手段として用いる場合、ＡＤＦ部１０５による画像読取の場合とは異なり、原稿Ｐを初期位置に移動させるのではなく、図９に示すように、光学センサ１０６を初期位置に移動させて画像読取を行うことで実現することができる。
【００５１】
以上のように、第１の実施形態によれば、複数の宛先に対して、解像度、カラー／モノクロ等の画像読取条件を同時に、かつ個別に設定することができることから、一度の操作により、宛先毎に対応した画像読取条件に基づいて画像読取を個別に行うことにより、複数の宛先毎に最適な画像データの電子メール送信を行うことができる。
【００５２】
［第２の実施形態］
第１の実施形態では、複数の宛先それぞれに対する原稿Ｐの画像読取において、ＡＤＦ部１０５を用いた場合は原稿Ｐを初期位置に移動させ、ＦＢ部１０７を用いた場合は光学センサ１０６を初期位置に移動させ、複数の宛先それぞれに関連付けられた画像読取条件に基づいて原稿Ｐの画像読取を行う形態について説明した。
【００５３】
本実施形態では、ＡＤＦ部による原稿搬送の往路／復路の双方向で原稿Ｐの画像読取を行うことにより、原稿Ｐの画像読取に要する時間を短縮することが可能な画像形成装置の形態について説明する。
【００５４】
図１０は、第２の実施形態に係る画像形成装置としての複合機５０１の機能ブロック図である。複合機５０１は第１の実施形態に係る複合機１０１が備える画像処理部１０３に代えて画像処理部５０３を備える。その他の機構構成については、複合機１０１と略同構成とすることができるため、同一の構成については同一の符号を付してその説明は省略する。
【００５５】
画像処理部５０３は、原稿搬送の復路における原稿後端からの画像読取において、生成された画像データの上下反転に伴う画像処理を併せて行う。
【００５６】
次に、上記構成を備えた複合機５０１の動作について図１０及び図１１を用いて説明する。図１１は、複合機５０１における動作を説明するフローチャートである。なお、第１の実施形態の図６のフローチャートで説明した動作と同一な動作については同じステップ番号を付してその説明は省略する。
【００５７】
図１１のステップ１５において、全ての画像読取条件による画像読取が完了していない場合（ステップＳ１５  Ｎｏ）、主制御部１０９は、記憶部１１１から、Ｘ番目の画像読取条件の次の条件であるＸ＋１番目の画像読取条件を読み出し、当該画像読取条件をＸ番目の画像読取条件として定義し、ステップＳ３１の処理に移行する（ステップＳ３０）。
【００５８】
ステップＳ３１において、主制御部１０９は、原稿ＰのＮ枚目を原稿トレイ２００の読取開始位置である初期位置に移動させる。本実施形態においては、ＡＤＦ部１０５が原稿Ｐを初期位置に戻す復路においても、原稿Ｐの画像読取を行う。復路における画像読取は、原稿後端からの読取となるため、画像処理部５０３は、光学センサ１０６により生成された画像データの上下反転に伴う画像処理を行う。
【００５９】
ここで、ＡＤＦ部１０５による復路方向での画像読取動作について図１２を用いて説明する。なお、図１２（ｇ）は、原稿Ｐの搬送方向及び搬送面を明確にするため、原稿Ｐを模式的に表現した図である。
【００６０】
図１２（ａ）に示すように、原稿Ｐは、第２反転ローラ２０６が搬送路Ｌ４への搬送時とは逆方向に回転することにより、第２セパレータ２１２の摺動面２１２ａを介し搬送路Ｌ４から搬送路Ｌ３に搬送される。このとき、搬送路Ｌ３上における読取位置Ｓにおいて、原稿Ｐの表面の画像が読取られる（図１２（ｂ）、図１２（ｉ）表面読取）。
【００６１】
そして、第１反転ローラ２０３が回転を継続することにより、原稿Ｐは搬送路Ｌ２から第１セパレータ２１０の摺動面２１０ａを介し搬送路Ｌ１に至る。このとき、原稿Ｐは表面が上側となるように反転する。第２セパレータ２１２の摺動面２１２ｂを介して搬送路Ｌ５に到達した原稿Ｐは、第２反転ローラ２０６が搬送路Ｌ５への搬送時とは逆方向に回転することにより（図１２（ｃ）、後反転）、第２セパレータ２１２の摺動面２１２ｂを介して搬送路Ｌ３、搬送路Ｌ２を通過し、搬送路Ｌ７に至る。なお、このとき、搬送路Ｌ３上における読取位置Ｓにおいて、原稿Ｐの裏面の画像が読取られる（図１２（ｄ）、図１２（ｈ）裏面読取）。
【００６２】
搬送路Ｌ７に至った原稿Ｐは、第１反転ローラ２０３が搬送路Ｌへの搬送時とは逆方向に回転し（図１２（ｅ）前反転）、搬送路Ｌ６、第１セパレータ２１０の摺動面２１０ｂを介して原稿トレイ２００の初期位置に搬送される（図１２（ｆ））。
【００６３】
再び、図１１に戻り、ステップＳ３２において、制御部１０９は、１番目からＸ番目の画像読取条件により全ての画像読取条件による画像読取が完了したか否かを判断する。ここで全ての画像読取条件による画像読取が完了した場合（ステップＳ３２  Ｙｅｓ）、主制御部１０９は、原稿トレイ２００の初期位置に移動させられた原稿ＰのＮ枚目を画像読取時における搬送と同様の動作により、画像読取することなく搬送し、排出トレイ２０７に排出させ（ステップＳ３３）、処理をステップＳ１９に移行する。
【００６４】
一方、全ての画像読取条件による画像読取が完了していない場合（ステップＳ３２  Ｎｏ）、主制御部１０９は、記憶部１１１から、Ｘ番目の画像読取条件の次の条件であるＸ＋１番目の画像読取条件を読み出し、当該画像読取条件をＸ番目の画像読取条件として定義し、ステップＳ１４からの処理を繰り返す（ステップＳ３４）。
【００６５】
なお、上記説明においては、ＡＤＦ部１０５を用い、原稿搬送の往路／復路の双方向における画像読取の例について説明したが、ＦＢ部１０７の光学センサ１０６を原稿Ｐに対して副走査方向に移動させることにより、往路／復路の双方向における画像読取を行うことも可能である。これは、図１３に示すように、光学センサ１０６を初期位置に戻す復路において画像読取を行うことにより実現することができる。
【００６６】
以上のように、第２の実施形態によれば、第１の実施形態の効果に加え、原稿搬送や光学センサの移動の往路／復路において画像読取を行うことから、原稿の画像読取時間を短縮することができる。
【００６７】
なお、各実施形態のメール送信に使用するメールアドレスはＴｏ宛先、ＣＣ（Carbon Copy）宛先、ＢＣＣ宛先（Blind Carbon Copy；他の受信者にアドレスが見えないように連絡する場合に利用）等の区分けが成され、例えば、各実施形態中のグループ１はメールアドレス区分のＴｏ宛先、グループ２はメールアドレス区分のＣＣ宛先、グループ３はメールアドレス区分のＢＣＣ宛先といったように割り当てて、Ｔｏ宛先≧ＣＣ宛先≧ＢＣＣ宛先の順で画像データの容量が変わるように解像度や色の制限が設定可能となるよう構成してもよい。
【００６８】
本発明の説明において、異なる画像読取条件に基づき得られた画像データを複数の宛先に電子メールにて送信する複合機について説明したが、本発明はこれに限定されるものではなく、電子メール送信以外にも、例えば、ＦＡＸ送信やサーバへのデータ格納等にも適用可能である。
【符号の説明】
【００６９】
１０１，５０１  複合機
１０２  画像読取部
１０３，５０３  画像処理部
１０４  メール送信部
１０５  ＡＤＦ部
１０６  光学センサ
１０７  ＦＢ部
１０８  原稿台
１０９  主制御部
１１０  データ通信部
１１１  記憶部
１１２  入力部
１１３  表示部
１１４  外部装置
１１５  ホストコンピュータ
２００  原稿トレイ
２０１  ピックアップローラ
２０２  分離ローラ
２０３  第１反転ローラ
２０４  レジストローラ
２０５  搬送ローラ
２０６  第２反転ローラ
２０７  排出トレイ
２１０  第１セパレータ
２１１，２１３  回動支点
２１０ａ，２１０ｂ，２１２ａ，２１２ｂ  摺動面
２１２  第２セパレータ
２２０〜２２４  センサ
２２５  原稿押さえ部材
【図１】
2017085394.tif 000003
【図２】
2017085394.tif 000004
【図３】
2017085394.tif 000005
【図４】
2017085394.tif 000006
【図５】
2017085394.tif 000007
【図６】
2017085394.tif 000008
【図７】
2017085394.tif 000009
【図８】
2017085394.tif 000010
【図９】
2017085394.tif 000011
【図１０】
2017085394.tif 000012
【図１１】
2017085394.tif 000013
【図１２】
2017085394.tif 000014
【図１３】
2017085394.tif 000015